(57)【要約】【課題】本発明は照明装置及び照明装置カバーに関する。【解決手段】本発明の一側面による埋め込み型照明装置用カバーは、連結部材を挿入できる第１挿入溝、前記第１挿入溝に接続され、ネジを挿入できる第２挿入溝、及び拡散板が取り付け可能な係止片をそれぞれ備える複数のプロファイルと、胴体部、前記胴体部に接続され、前記第１挿入溝に挿入され隣接する前記プロファイルと螺合される羽部、及び照明器具を収容する埋め込み型金属ハウジングと脱着可能なレバーを有するＬ字形状の連結部材と、を含み、前記複数のプロファイル及びＬ字形状の連結部材は前記拡散板を収容し、前記金属ハウジングに脱着される。【選択図】図１
2012114088.tif 000002
【特許請求の範囲】
【請求項１】
連結部材を挿入できる第１挿入溝、前記第１挿入溝に接続され、ネジを挿入できる第２挿入溝、及び拡散板が取り付け可能な係止片をそれぞれ備える複数のプロファイルと、
胴体部、前記胴体部に接続され、前記第１挿入溝に挿入されて前記複数のプロファイルのうち隣接するプロファイルと螺合される羽部、及び照明器具を収容する埋め込み型金属ハウジングと脱着可能なレバーを有するＬ字形状の連結部材と
を含み、
前記複数のプロファイル及びＬ字形状の連結部材は、前記拡散板を収容でき、前記金属ハウジングに脱着される、埋め込み型照明装置カバー。
【請求項２】
前記複数のプロファイルの各々は、前記拡散板を固定できる係止段差を備えることを特徴とする請求項１に記載の埋め込み型照明装置カバー。
【請求項３】
前記Ｌ字形状の連結部材は、前記拡散板を固定できる係止段差を備えることを特徴とする請求項１または２に記載の埋め込み型照明装置カバー。
【請求項４】
前記埋め込み型照明装置カバーの同じ辺を形成する前記プロファイル同士を接続するｌ字形状の連結部材をさらに含むことを特徴とする請求項１から３の何れか１項に記載の埋め込み型照明装置カバー。
【請求項５】
前記ｌ字形状の連結部材は、前記金属ハウジングと磁気力により結合するための磁石を挿入できる溝を備えることを特徴とする請求項４に記載の埋め込み型照明装置カバー。
【請求項６】
拡散板を挿入できる拡散板挿入溝、及び磁石を挿入できる少なくとも１つの磁石挿入溝を備える複数のプロファイルを含み、
前記複数のプロファイルの各々の端部は、隣接するプロファイル同士を係合して結合できる結合手段を備えており、天井に固定され照明装置を収容する金属ハウジングに磁気力により脱着される、埋め込み型照明装置カバー。
【請求項７】
前記複数のプロファイルの各々の一端には突起が形成され、他端には凹溝が形成されることを特徴とする請求項６に記載の埋め込み型照明装置カバー。
【請求項８】
照明器具と、
前記照明器具を収容し、固定物に埋め込まれて固定される金属ハウジングと、
請求項１から７の何れか１項に記載の埋め込み型照明装置カバーと
を含む、埋め込み型照明装置。
【発明の詳細な説明】
【技術分野】
【０００１】
本発明は、照明装置及び照明装置カバーに関し、より詳しくは、天井又は壁面に設けられた埋め込み型照明装置及びそれに使用されるカバーに関する。
【背景技術】
【０００２】
従来の方式は、照明装置を含む金属ハウジングと天井のプロファイルをネジ（Ｓｃｒｅｗ）締結した後、カバーとハウジングをさらにネジ締結する方式を適用したが、ネジ締結部分の外観の審美性と、頻繁な脱着によるネジ締結部の摩耗という問題がある。また、拡散板が単純にカバー内側に載置される構造に組み立てられると、拡散板の離脱及び取り扱い不注意による拡散板の割れなどが発生する。
【発明の概要】
【発明が解決しようとする課題】
【０００３】
本発明の目的は、金属ハウジングとの結合力に優れて落下の危険が少なく、金属ハウジングとの脱着が容易であると共に、ハウジングのサイズによりサイズの調節が容易なことから拡散板を安定的に固定できる埋め込み型照明装置用カバーを提供することにある。
【課題を解決するための手段】
【０００４】
本発明の一側面による埋め込み型照明装置用カバーは、連結部材を挿入できる第１挿入溝、上記第１挿入溝に接続され、ネジを挿入できる第２挿入溝、及び拡散板が取り付け可能な係止片をそれぞれ備える複数のプロファイルと、胴体部、上記胴体部に接続され、上記第１挿入溝に挿入され隣接する上記プロファイルと螺合される羽部、及び照明器具を収容する埋め込み型金属ハウジングと脱着可能なレバーを有するＬ字形状の連結部材と、を含み、上記複数のプロファイル及びＬ字形状の連結部材は上記拡散板を収容し、上記金属ハウジングに脱着される。
【０００５】
また、上記プロファイルは、上記拡散板を固定できる係止段差を備えることができる。
【０００６】
また、上記Ｌ字形状の連結部材は、上記拡散板を固定できる係止段差を備えることができ、磁石を挿入できる溝を備えることができる。
【０００７】
また、上記埋め込み型照明装置カバーの同じ辺を形成する上記プロファイル同士を接続するｌ字形状の連結部材をさらに含むことができる。
【０００８】
上記ｌ字形状の連結部材は、磁石を挿入できる溝を備えることができる。
【０００９】
本発明の他の実施例による埋め込み型照明装置用カバーは、拡散板を挿入できる拡散板挿入溝、及び磁石を挿入できる少なくとも１つの磁石挿入溝を備える複数のプロファイルを含み、上記プロファイルの端部は、隣接するプロファイル同士を係合して結合できる結合手段を備えており、天井に固定され照明器具を収容する金属ハウジングに磁気力により脱着される。
【００１０】
また、上記プロファイルの一端には突起が形成され、他端には凹溝が形成されることができる。
【００１１】
本発明の他の側面による埋め込み型照明装置は、照明器具と、上記照明器具を収容し、固定物に埋め込まれて固定される金属ハウジングと、連結部材を挿入できる第１挿入溝、上記第１挿入溝に接続され、ネジを挿入できる第２挿入溝、及び拡散板が取り付け可能な係止片をそれぞれ備える複数のプロファイルと、胴体部、上記胴体部に接続され、上記第１挿入溝に挿入され隣接する上記プロファイルと螺合される羽部、及び上記金属ハウジングと脱着可能なレバーを有するＬ字形状の連結部材と、を含み、上記複数のプロファイル及びＬ字形状の連結部材は上記拡散板を収容し、上記金属ハウジングに脱着される。
【００１２】
本発明の他の実施例による埋め込み型照明装置は、照明器具と、上記照明器具を収容し、固定物に埋め込まれて固定される金属ハウジングと、拡散板を挿入できる拡散板挿入溝、及び磁石を挿入できる少なくとも１つの磁石挿入溝を備える複数のプロファイルと、を含み、上記プロファイルの端部は、隣接するプロファイル同士を係合して結合できる結合手段を備えており、上記金属ハウジングに磁気力により脱着される。
【発明の効果】
【００１３】
本発明の実施例による埋め込み型照明装置用カバーは、金属ハウジングとの結合力に優れて落下の危険が少なく、金属ハウジングとの脱着が容易であると共に、ハウジングのサイズによりサイズの調節が容易なことから拡散板を安定的に固定できる。
【図面の簡単な説明】
【００１４】
【図１】本発明の一実施例による埋め込み型照明装置カバーに対する分離斜視図である。
【図２ａ】Ｌ字形状の連結部材に備えられたレバーが金属ハウジングの縁に着脱される様子を示す。
【図２ｂ】Ｌ字形状の連結部材に備えられたレバーが金属ハウジングの縁に着脱される様子を示す。
【図３】隣接するプロファイル、上記プロファイルと結合されているＬ字形状の連結部材及び、上記プロファイルと上記Ｌ字形状の連結部材に支持され固定される拡散板を示す斜視図である。
【図４ａ】プロファイルを接続するｌ字形状の連結部材を示す斜視図である。
【図４ｂ】ｌ字形状の連結部材がｌ字形状の連結部材の左右に位置するプロファイルと結合された状態を示す。
【図５】本発明の他の実施例として金属ハウジング、拡散板、複数のプロファイルを示す分離斜視図を示す。
【発明を実施するための形態】
【００１５】
以下、添付された図面を参照して本発明の好ましい実施形態を説明する。
【００１６】
しかし、本発明の実施形態は様々な他の形態への変更が可能であり、本発明の範囲が以下に説明する実施形態に限定されるものではない。また、本発明の実施形態は当該技術分野において平均的な知識を有する者に本発明をより完全に説明するために提供されるものである。従って、図面に示す要素等の形状及び大きさなどは明確な説明のために誇張されることがあり、図面上において同一の符号で表される要素は同じ要素である。
【００１７】
図１は、本発明の一実施例による埋め込み型照明装置カバーを含む埋め込み型照明装置に対する分離斜視図である。図１に図示された隣接するプロファイル１０間の連結構造は、隣接する他のプロファイル間においても同様に適用される。また、各プロファイル１０の構造は略同一であるため１つのプロファイルの構造についてのみ説明する。
【００１８】
図１を参照すると、埋め込み型照明装置は、照明器具、照明器具を収容する金属ハウジング、拡散板及び埋め込み型照明装置カバーを含み、埋め込み型照明装置カバーは、複数のプロファイル１０とＬ字形状の連結部材２０を含む。
【００１９】
上記プロファイル１０は天井、壁などの固定物に固定され、ＬＥＤ、蛍光灯のような照明器具（図示せず）を収容する金属ハウジング３０の縁３１を取り囲む。四角状の枠をなすプロファイル１０は、アルミニウムを長さ方向に長く押出成形した後、所定の長さだけ切断することで形成される。プロファイル１０の長さ方向には中央部分が開放された第１挿入溝１１ａが形成され、連結部材２０を挿入できるようになっている。
【００２０】
第１挿入溝１１ａの上側には、上記第１挿入溝１１ａに接続されている第２挿入溝１１ｂが形成されている。上記第２挿入溝１１ｂは、第１挿入溝１１ａに挿入されたＬ字形状の連結部材２０に形成されているネジ孔２２にネジを螺合する部分であり、Ｌ字形状の連結部材２０とプロファイル１０間の結合を可能とする。
【００２１】
プロファイル１０の内側には、拡散板３３が取り付け可能な係止片１２が突出して形成されている。上記係止片１２の所定の高さ上方に、上記係止片１２に取り付けられる拡散板３３がプロファイルに密着されるよう係止段差１３をさらに含んでもよい。
【００２２】
Ｌ字形状の連結部材２０は、胴体部２６と、胴体部２６に接続された羽部２５及びレバー２１を含む。羽部２５はプロファイル１０の端部の第１挿入溝１１ａに挿入され、隣接するプロファイル１０を接続する。羽部２５にはネジ孔２２が形成されており、締結ネジ２３をネジ孔２２に螺合することでＬ字形状の連結部材２０とプロファイル１０が結合される。
【００２３】
胴体部２６の外側にはレバー２１が備えられている。上記レバー２１の頭部分が金属ハウジング３０の縁３１に係止されることで金属ハウジング３０にＬ字形状の連結部材２０で連結されるプロファイル１０、即ち、埋め込み用照明装置カバーが固定できるようになる。
【００２４】
Ｌ字形状の連結部材２０と金属ハウジング３０との結合力をより高くするために、胴体部２６に磁石を挿入できる磁石挿入溝（図示せず）をさらに備えてもよい。
【００２５】
図２ａ及び図２ｂは、Ｌ字形状の連結部材２０に備えられたレバー２１が金属ハウジング３０の縁３１に着脱される様子を示す。金属ハウジング３０の縁３１には締結ネジ２３を螺合できるネジ孔が設けられ、締結ネジ２３により金属ハウジング３０とプロファイル１０の間の結合力をさらに向上させる。
【００２６】
図３は、隣接するプロファイル、上記プロファイルと結合されているＬ字形状の連結部材及び、上記プロファイルと上記Ｌ字形状の連結部材に支持され固定される拡散板を示す斜視図である。
【００２７】
図３を参照すると、上記拡散板３３は、プロファイル１０に設けられている係止片１２に取り付けられ、Ｌ字形状の連結部材２０に形成されている係止段差２４により上記プロファイル１０及びＬ字形状の連結部材２０に固定される。
【００２８】
プロファイル１０の長さが金属ハウジング３０の辺の長さより短い場合は、ｌ字形状の連結部材４０を用いて金属ハウジング３０の同じ辺を囲むプロファイル１０を接続してもよい。
【００２９】
図４ａを参照すると、プロファイル１０を接続するｌ字形状の連結部材４０を示す斜視図である。ｌ字形状の連結部材４０は胴体部４６と２つの羽部４５を含むことができる。胴体部４６には磁石を挿入できる磁石挿入溝４７が形成されている。磁石４４を挿入したｌ字形状の連結部材４０により上記ｌ字形状の連結部材４０と結合されたプロファイル１０と拡散板３３は金属ハウジング３０に密着される。
【００３０】
羽部４５にはネジ孔４２が形成されている。羽部４５は、プロファイル１０に形成された第１挿入溝に挿入されて羽部４５に形成されたネジ孔４２に締結ネジを螺合することで、両プロファイル１０とそれぞれ結合できるようになる。図４ｂは、ｌ字形状の連結部材４０がｌ字形状の連結部材４０の左右に位置したプロファイル１０と締結ネジ４３で結合された様子を示す。胴体部４６に形成された磁石挿入溝４７には磁石４４が挿入されている。
【００３１】
図５は、本発明の他の実施例として、埋め込み型照明装置カバーを含む埋め込み型照明装置を示す分離斜視図である。埋め込み型照明装置は、照明器具、照明器具を収容する金属ハウジング、拡散板及び埋め込み型照明装置カバーを含み、埋め込み型照明装置カバーは複数のプロファイルを含む。
【００３２】
金属ハウジング１３０は、天井、壁などの固定物に固定され、ＬＥＤ、蛍光灯のような照明器具（図示せず）を収容する。金属ハウジングは天井、壁などの固定物に直結スクリューなどを用いて固定されることができる。金属ハウジング１３０は、一例として、鉄、ニッケル、コバルトのような強磁性体、又は、タングステン、アルミニウムなどのような常磁性体からなってもよいが、磁気力によるプロファイル１１０と強い結合力を維持するためには強磁性体からなることが好ましい。
【００３３】
プロファイル１１０は金属ハウジング１３０の縁と対応して金属ハウジング１３０に密着される。プロファイル１１０には、拡散板１３３を挿入できる拡散板挿入溝１１１ａと、磁石を挿入できる磁石挿入溝１１１ｂが少なくとも１つ、好ましくは、複数形成されている。
【００３４】
上記プロファイル１１０に形成された磁石挿入溝１１１ｂに磁石を挿入し、金属ハウジング１３０との磁気力により密着される。
【００３５】
プロファイル１１０の端部は、係合して結合できる結合手段が形成されており、別途の連結部材なしに隣接するプロファイル１１０に接続できる。結合手段の一例として、上記プロファイル１１０の一端には突起１１４ａが形成され、他端には凹溝１１４ｂが形成されることができる。
【００３６】
拡散板１３３は、結合されたプロファイル１１０の組立体の開口と実質的に同一の形状を有することができる。拡散板１３３は透明なポリカーボネート材質で製造されることができる。
【００３７】
本発明は上述した特定の実施例に限定されるものではなく、添付の請求範囲により限定される。従って、請求の範囲に記載された本発明の技術的思想を外れない範囲内で、多様な形態の置換、変形及び変更が可能なことは当技術分野において通常の知識を有する者には自明であり、これも添付の請求範囲に記載された技術的思想に属する。
【符号の説明】
【００３８】
１０、１１０：プロファイル
１１ａ：第１挿入溝
１１ｂ：第２挿入溝
１２：係止片
２０：Ｌ字形状の連結部材
２１：レバー
２２、４２：ネジ孔
２３、４３：締結ネジ
２４：係止段差
２５、４５：羽部
２６、４６：胴体部
３０、１３０：金属ハウジング
３１：金属ハウジングの縁
３３、１３３：拡散板
４０：ｌ字形状の連結部材
４７、１１１ｂ：磁石挿入溝
４４：磁石
１１１ａ：拡散板挿入溝
１１４ａ：突起
１１４ｂ：凹溝
【図１】
2012114088.tif 000003
【図２ａ】
2012114088.tif 000004
【図２ｂ】
2012114088.tif 000005
【図３】
2012114088.tif 000006
【図４ａ】
2012114088.tif 000007
【図４ｂ】
2012114088.tif 000008
【図５】
2012114088.tif 000009